(57)【要約】【課題】優れた断熱性能及び結露防止の効果が得られるうえ、形状の自由度を向上させることができる樹脂サッシを提供する。【解決手段】複数の樹脂枠材７、８、９で構成される樹脂枠２を備える樹脂サッシ１であって、樹脂枠材７、８、９に対応する複数の支持枠材１０、１１、１２で構成される支持枠３を備え、樹脂枠材７、８、９のそれぞれが対応する支持枠材１０、１１、１２に固定され、支持枠材１０、１１、１２同士が固定され、支持枠材１０、１１、１２のうち、一の支持枠材及び一の支持枠材に固定される二の支持枠材は、一の支持枠材における小口面と二の支持枠材における材軸方向の側面とが対向しており、一の支持枠材に固定される一の樹脂枠材における小口面は、二の支持枠材に固定される二の樹脂枠材における小口面とは形状が異なる、ことを特徴とする。【選択図】図１
2016188465.tif 000002
【特許請求の範囲】
【請求項１】
複数の樹脂枠材で構成される樹脂枠を備える樹脂サッシであって、
前記樹脂枠材に対応する複数の支持枠材で構成される支持枠を備え、
前記樹脂枠は、前記樹脂枠材のそれぞれが、対応する前記支持枠材に固定されるものであり、
前記支持枠は、前記支持枠材同士が固定されるものであり、
前記支持枠材のうち、一の支持枠材及び当該一の支持枠材に固定される二の支持枠材は、当該一の支持枠材における小口面と当該二の支持枠材における材軸方向の側面とが対向しており、
前記一の支持枠材に固定される一の樹脂枠材における小口面は、前記二の支持枠材に固定される二の樹脂枠材における小口面とは形状が異なる、ことを特徴とする樹脂サッシ。
【請求項２】
前記樹脂枠及び前記支持枠に対して開閉自在に設けられる障子を備え、
前記樹脂枠は、前記障子を支持する支持部を有する請求項１に記載の樹脂サッシ。
【発明の詳細な説明】
【技術分野】
【０００１】
本発明は、建物開口部に装着されるサッシの窓枠として、樹脂で形成される樹脂枠を備える樹脂サッシに関するものである。
【背景技術】
【０００２】
近年、建物開口部に装着されるサッシの窓枠にあっては、例えば特許文献１に示されるような、樹脂で形成される樹脂枠を備える樹脂サッシが知られている。このような樹脂サッシによれば、金属製の窓枠よりも熱伝導率が低いことから、高い断熱性能が得られるとともに屋内側への結露を有効に防止することができる。
【先行技術文献】
【特許文献】
【０００３】
【特許文献１】特開平１０−２３８２４５号公報
【発明の概要】
【発明が解決しようとする課題】
【０００４】
ところで特許文献１の樹脂枠は、上枠、下枠、及び左右の縦枠を方形に枠組みすることで得られるが、これらの枠を接合するにあたっては、それぞれの枠の両端部を長手方向に対して４５度に切断したうえで、接合する枠の切断面同士を溶着することが一般的である。すなわち、上枠、下枠、及び左右の縦枠の切断面（小口面）が全て同一でなければ溶着することができないため、形状の自由度が制限されてしまうという問題がある。
【０００５】
本発明は、このような問題点を解決することを課題とするものであり、優れた断熱性能及び結露防止の効果が得られるうえ、形状の自由度を向上させることができる樹脂サッシを提供することを目的とする。
【課題を解決するための手段】
【０００６】
本発明である樹脂サッシは、複数の樹脂枠材で構成される樹脂枠を備えるものであり、前記樹脂枠材に対応する複数の支持枠材で構成される支持枠を備え、前記樹脂枠は、前記樹脂枠材のそれぞれが、対応する前記支持枠材に固定されるものであり、前記支持枠は、前記支持枠材同士が固定されるものであり、前記支持枠材のうち、一の支持枠材及び当該一の支持枠材に固定される二の支持枠材は、当該一の支持枠材における小口面と当該二の支持枠材における材軸方向の側面とが対向しており、前記一の支持枠材に固定される一の樹脂枠材における小口面は、前記二の支持枠材に固定される二の樹脂枠材における小口面とは形状が異なる、ことを特徴とする。
【０００７】
また、前記樹脂枠及び前記支持枠に対して開閉自在に設けられる障子を備え、前記樹脂枠は、前記障子を支持する支持部を有することが好ましい。
【発明の効果】
【０００８】
本発明では、複数の樹脂枠材のそれぞれとこれらの樹脂枠材に対応する複数の支持枠材とを固定させ、且つこれらの支持枠材同士を固定させ、さらに、複数の支持枠材のうち、小口面と材軸方向の面とが対向する関係になる一の支持枠材及び二の支持枠材に対し、一の支持枠材に固定される一の樹脂枠材及び二の支持枠材に固定される二の樹脂枠材の各小口面は、形状が相互に異なるようにしている。すなわち、熱伝導率が低い樹脂枠材を用いていることから優れた断熱性能及び結露防止の効果が得られるとともに、小口面が異なる樹脂枠材であっても枠組みすることができるので、形状の自由度を向上させることができる。
【図面の簡単な説明】
【０００９】
【図１】本発明に従う樹脂サッシの第一実施形態を示す縦断面図である。
【図２】第一実施形態の横断面図である。
【図３】第一実施形態の枠組み方法を示す、屋外側から屋内側に向かう視点で図示した説明図であって、（ａ）は枠組み前の状態であり、（ｂ）は枠組み後の状態である。
【図４】本発明に従う樹脂サッシの第二実施形態を示す縦断面図である。
【図５】第二実施形態の横断面図である。
【図６】第二実施形態の変形例を示す縦断面図である。
【図７】図６に示す実施形態の横断面図である。
【発明を実施するための形態】
【００１０】
以下、図１〜図３を参照しつつ、本発明に従う樹脂サッシの第一実施形態について詳細に説明する。なお、部材同士を固定させるための爪やビス、気密性や水密性を高めるためのタイト材等は、図示を省略している。
【００１１】
本実施形態の樹脂サッシ１は、建物開口部Ｘに装着される樹脂枠２と、樹脂枠２を支持する支持枠３と、樹脂枠２の内側に設けられるすべり出し障子４を備えるものである。また、図１、図２に示すように建物開口部Ｘと樹脂枠２及び支持枠３との間には、断熱材５を設けている。さらに、図１に示すように樹脂枠２の内部（後述する樹脂下枠８の内部）には、金属製の補強材６を設けている。
【００１２】
まず、すべり出し障子４について説明する。本実施形態のすべり出し障子４は、樹脂製の框体１３の内側に、複層ガラス１４を納めたものである。框体１３は、上框１５、下框１６、及び左右に設けられる一対の縦框１７から構成されていて、これらを方形に框組みしたものである。なお、すべり出し障子４を樹脂枠２及び支持枠３に対してすべり出し可能に保持する支持部は、図示は省略するが樹脂枠２に設けられている。
【００１３】
次に、樹脂枠２について説明する。樹脂枠２は、複数の樹脂枠材で構成されるものである。本実施形態では方形状になる建物開口部Ｘの各縁部に対応するように、直線状に延びる４つの樹脂枠材（樹脂上枠７、樹脂下枠８、及び左右に設けられる一対の樹脂縦枠９）で構成される。樹脂上枠７、樹脂下枠８、及び樹脂縦枠９は、例えば塩化ビニルやＡＢＳのような合成樹脂製の押し出し材で形成することができる。また樹脂上枠７、樹脂下枠８、及び樹脂縦枠９は、図３（ａ）に示すように、材軸方向に対して垂直になる小口面７ａ、８ａ、９ａと、材軸方向に対して平行になる側面７ｂ、８ｂ、９ｂとを有する。なお、小口面７ａ、８ａ、９ａの形状は、図１〜図３を参照して明らかなように相互に異なるものである。
【００１４】
図１に示すように樹脂上枠７は、建物開口部Ｘの上縁部に沿って配置される中空状の樹脂上枠本体部７ｃを備えている。また樹脂上枠本体部７ｃには、屋内側に向かって延在する板状の樹脂上枠突片７ｄが設けられている。さらに樹脂上枠本体部７ｃには、爪状の保持部７ｅが設けられていて（本実施形態では２箇所）、すべり出し障子４の上框１５に対して当接するタイト材（不図示）を保持部７ｅで保持することができる。
【００１５】
また樹脂下枠８は、建物開口部Ｘの下縁部に沿って配置される中空状の樹脂下枠本体部８ｃを備えている。樹脂下枠本体部８ｃには、屋内側に向かって延在する板状の樹脂下枠突片８ｄが設けられ、さらに上述した保持部７ｅと同様の構成になる保持部８ｅが設けられている（本実施形態では２箇所）。保持部８ｅは、下框１６に当接するタイト材を保持することができる。
【００１６】
樹脂縦枠９は、図２に示すように建物開口部Ｘの側縁部に沿って配置される中空状の樹脂縦枠本体部９ｃを備えている。また樹脂縦枠本体部９ｃには、屋内側に向かって延在する板状の樹脂縦枠突片９ｄが設けられ、さらに上述した保持部７ｅ等と同様の構成になる保持部９ｅが設けられている（本実施形態では２箇所）。保持部８ｅは、縦框１７に当接するタイト材を保持することができる。
【００１７】
次に支持枠３について説明する。支持枠３は、樹脂枠材に対応する複数の支持枠材で構成されるものである。本実施形態の支持枠材は、例えばアルミニウム製の押し出し材で形成されるような金属製の支持枠材であって、樹脂上枠７、樹脂下枠８、及び樹脂縦枠９に対応する、支持上枠１０、支持下枠１１及び支持縦枠１２で構成されている。
【００１８】
支持上枠１０は、図１に示すように中空状に形成されている。また支持上枠１０は、枠組みした際に樹脂上枠７の外側に配置される向きで樹脂上枠７と固定されている。なお、支持上枠１０と樹脂上枠７とを固定するにあたっては、爪、ビス、接着等の種々の手段が適用できる。
【００１９】
また図１に示すように支持下枠１１は、概略、縦向きの板状部分と、この板状部分から屋外側に向かう板状部分とを組み合わせた形状をなしている。支持下枠１１も、上述した支持上枠１０の如く、枠組みした際に樹脂下枠８の外側に配置される向きで樹脂下枠８と固定されている。
【００２０】
支持縦枠１２は、図２に示すように中空状に形成されていて、枠組みした際に樹脂縦枠９の外側に配置される向きで樹脂縦枠９と固定されている。
【００２１】
本実施形態の樹脂枠２及び支持枠３は、図３（ａ）に示すように、樹脂上枠７と支持上枠１０との長さは略等しく、また樹脂下枠８と支持下枠１１との長さも略等しくなっていて、樹脂縦枠９は支持縦枠１２よりも短くなっている。また、樹脂上枠７と支持上枠１０、樹脂下枠８と支持下枠１１、樹脂縦枠９と支持縦枠１２は予め固定されている。そして、小口面９ａと側面７ｂ、８ｂとが対向するようにして、支持上枠１０、支持下枠１１、支持縦枠１２同士を固定し、図３（ｂ）に示すように枠組みする。なお、単体の支持上枠１０、支持下枠１１、支持縦枠１２同士を固定して予め枠組みしておき、後から樹脂上枠７、樹脂下枠８、樹脂縦枠９のそれぞれを支持上枠１０、支持下枠１１、支持縦枠１２に固定するようにしてもよい。また、樹脂上枠７を支持上枠１０よりも短くするとともに樹脂下枠８を支持下枠１１よりも短くし、樹脂縦枠９は支持縦枠１２と略同じ長さとしたうえで、小口面７ａ及び８ａと側面９ｂとが対向するようにして支持上枠１０、支持下枠１１、支持縦枠１２同士を固定してもよい。
【００２２】
このように、樹脂上枠７、樹脂下枠８、樹脂縦枠９は、支持上枠１０、支持下枠１１、支持縦枠１２に固定されているので、樹脂上枠７、樹脂下枠８、樹脂縦枠９同士を溶着する必要がない。このため、小口面７ａ、８ａ、９ａの形状が相互に異なるものであってもサッシの窓枠として使用することができるので、形状の自由度を向上させることができる。また、樹脂枠２の交換が必要な場合にも、樹脂上枠７、樹脂下枠８、樹脂縦枠９をそれぞれ取り外すことができるので、必要な部材のみを交換することができる。
【００２３】
また、本実施形態の支持上枠１０、支持下枠１１、支持縦枠１２は、熱伝導率の高い金属製であるが、枠組みした際にこれらの内側には、熱伝導率が低い樹脂上枠７、樹脂下枠８、樹脂縦枠９によって断熱ラインが形成されるため、支持上枠１０、支持下枠１１、支持縦枠１２と建物開口部Ｘとの間の熱の伝達を妨げることができる。これにより、優れた断熱性能及び結露防止の効果を得ることができる。また、本実施形態の樹脂上枠７、樹脂下枠８、樹脂縦枠９は中空状であるので、より優れた断熱性能及び結露防止の効果を得ることができる。さらに、本実施形態を断熱材を介して建物開口部Ｘに取り付けた建物開口構造について説明する。支持上枠１０、支持下枠１１、支持縦枠１２と建物開口部Ｘとの間に設けられる断熱材５は、樹脂上枠７、樹脂下枠８、樹脂縦枠９と接触していて、樹脂上枠７、樹脂下枠８、樹脂縦枠９によって形成される断熱ラインは断熱材５とつながることになるため、断熱性能及び結露防止の効果を一層高めることができる。
【００２４】
また、樹脂枠２に庇や面格子、手摺り等の付属部品を取り付けることは強度の面から困難であるが、本実施形態の支持枠３は金属製であるので、例えば図１に示すように、支持上枠１０に庇１８を保持する保持部を設けることにより、支持枠３を利用して付属部品を取り付けることができる。
【００２５】
次に、図４及び図５を参照しつつ、本発明に従う樹脂サッシの第二実施形態について説明する。なお、第一実施形態と共通する機能を有する部位については、同一の名称を付して詳細な説明は省略する。
【００２６】
本実施形態の樹脂サッシ２１は、建物開口部Ｘに装着される樹脂枠２２と、樹脂枠２２を支持する支持枠２３と、樹脂枠２２の内側において引き違い自在に納められる外障子２４Ａ及び内障子２４Ｂを備えるものである。また、建物開口部Ｘと樹脂枠２２及び支持枠２３との間には、断熱材２５を設けている。
【００２７】
まず、外障子２４Ａについて説明する。外障子２４Ａは、本実施形態では樹脂製になる框体３３の内側に、複層ガラス３４を納めたものである。框体３３は、上框３５及び下框３６（図４参照）、並びに左右に設けられる一対の縦框３７（図５参照）から構成されていて、これらを方形に框組みしたものである。さらに、上框３５、下框３６、縦框３７のそれぞれには、樹脂枠２２に対して当接するタイト材（不図示）を保持するための保持部３５ａ、３６ａ、３７ａが設けられている。なお、内障子２４Ｂも外障子２４Ａと同様の構成になる。
【００２８】
次に、樹脂枠２２について説明する。樹脂枠２２は、樹脂上枠２７及び樹脂下枠２８、並びに左右に設けられる一対の樹脂縦枠２９から構成されていて、これらを方形に枠組みしたものである。
【００２９】
樹脂上枠２７は、図４示すように建物開口部Ｘの上縁部に沿って配置される中空状の樹脂上枠本体部２７ｃを備えていて、樹脂上枠本体部２７ｃには、屋内側に向かって延在する板状の樹脂上枠突片２７ｄが設けられている。また樹脂上枠本体部２７ｃには、外障子２４Ａ及び内障子２４Ｂを上方から引き違い可能に支持するレール状の支持部２７ｆが設けられている。
【００３０】
樹脂下枠２８は、図４に示すように、建物開口部Ｘの上縁部に沿って配置される中空状の樹脂下枠本体部２８ｃを備えていて、樹脂下枠本体部２８ｃには、屋内側に向かって延在する板状の樹脂下枠突片２８ｄが設けられている。また樹脂下枠本体部２８ｃには、外障子２４Ａ及び内障子２４Ｂを下方から引き違い可能に支持するレール状の支持部２８ｆが設けられている。
【００３１】
樹脂縦枠２９は、図５に示すように、建物開口部Ｘの側縁部に沿って配置される中空状の樹脂縦枠本体部２９ｃを備えている。また樹脂縦枠本体部２９ｃには、屋内側に向かって延在する板状の樹脂縦枠突片２９ｄが設けられ、さらに閉じられた外障子２４Ａ及び内障子２４Ｂを側方から支持する支持部２９ｆが設けられている。
【００３２】
なお、樹脂上枠２７、樹脂下枠２８、及び樹脂縦枠２９の小口面は、図４、図５を参照して明らかなように、形状が相互に異なるものである。
【００３３】
次に支持枠２３について説明する。支持枠２３は、金属製となる支持上枠３０及び支持下枠３１（図４参照）、並びに左右に設けられる一対の支持縦枠３２（図５参照）で構成されている。上述した第一実施形態の如く、支持上枠３０、支持下枠３１、及び支持縦枠３２のそれぞれは、樹脂上枠２７、樹脂下枠２８、樹脂縦枠２９と固定されている。また支持上枠３０、支持下枠３１、支持縦枠３２を相互に固定して枠組みしている。
【００３４】
このように、本実施形態においても樹脂上枠２７、樹脂下枠２８、及び樹脂縦枠２９を支持枠２３で固定することができるので、小口面の形状が異なる樹脂枠をサッシの窓枠として使用することができ、形状の自由度を向上させることが可能になる。また本実施形態でも、中空状の樹脂上枠２７、樹脂下枠２８、及び樹脂縦枠２９によって、断熱材２５とつながる断熱ラインを形成することができるので、高い断熱性能及び結露防止の効果を得ることができる。
【００３５】
また、本実施形態でも支持枠２３に付属部品を取り付けることが可能である。図４は、その一例として支持縦枠３２に庇３８を取り付けた状態を示している。
【００３６】
本発明に従う樹脂サッシは、上述した実施形態に限定されるものではなく、特許請求の範囲に従う範囲で種々の変更が可能である。例えば、付属部品として窓用のシャッターを設けることも可能であり、この場合は、図４で示した支持上枠３０及び支持下枠３１に替えて、図６に示すような支持上枠３０’及び支持下枠３１’を使用し、さらに図４の庇３８に替えて図７に示すようなシャッター案内部材３９を用いればよい。また、上述した実施形態の障子は樹脂製の框体を用いたが、金属製のものであってもよい。さらに、樹脂枠と障子との間に設けられるタイト材を保持するための保持部は、樹脂枠或いは障子の何れに設けてもよく、例えば第一実施形態において樹脂枠側に設けた保持部をすべり出し障子側に設けてもよい。
【符号の説明】
【００３７】
１、２１：樹脂サッシ
２、２２：樹脂枠
３、２３：支持枠
４：すべり出し障子（障子）
２４Ａ：外障子（障子）
２４Ｂ：内障子（障子）
５、２５：断熱材
６：補強材
７、２７：樹脂上枠
７ａ：小口面
７ｂ：側面
７ｃ、２７ｃ：樹脂上枠本体部
７ｄ、２７ｄ：樹脂上枠突片
７ｅ：保持部
２７ｆ：支持部
８、２８：樹脂下枠
８ａ：小口面
８ｂ：側面
８ｃ、２８ｃ：樹脂下枠本体部
８ｄ、２８ｄ：樹脂下枠突片
８ｅ：保持部
２８ｆ：支持部
９、２９：樹脂縦枠
９ａ：小口面
９ｂ：側面
９ｃ、２９ｃ：樹脂縦枠本体部
９ｄ、２９ｄ：樹脂縦枠突片
９ｅ：保持部
２９ｆ：支持部
１０、３０、３０'：支持上枠
１１、３１、３１'：支持下枠
１２、３２：支持縦枠
１３、３３：框体
１４、３４：複層ガラス
１５、３５：上框
３５ａ：保持部
１６、３６：下框
３６ａ：保持部
１７、３７：縦框
３７ａ：保持部
１８、３８：庇
３９：シャッター案内部材
Ｘ：建物開口部
【図１】
2016188465.tif 000003
【図２】
2016188465.tif 000004
【図３】
2016188465.tif 000005
【図４】
2016188465.tif 000006
【図５】
2016188465.tif 000007
【図６】
2016188465.tif 000008
【図７】
2016188465.tif 000009